(57)【要約】      （修正有）【課題】入浴時の要介護者、介護者両方の体力的負担を軽減し、更に浴槽内での要介護者の身体の浮き、滑り込み、回転するなど危険性を解決する要介護者用スライド式入浴装置を提供する。【解決手段】入浴台の上に、移動車輪のレール兼はずれ防止カバーを取り付け、カバーの中に洗浄台を滑り込ませた状態で、椅子形式に角度をつけたまま、浴槽内へ上下動させ入浴し、また浴槽上に台ごと持ち上げ後は平面になり、もち手を押すことで前後に移動する。【選択図】図１６
0003175772.tif 000002
【実用新案登録請求の範囲】
【請求項１】
主体と成る板  椅子部分（１イ）と背もたれ部分（１ロ）を連結部分（２）で連結、洗浄台とし椅子部分に台を押す目的の、もち手（３イ〜３ロ）を取り付け、背もたれ部分には上体固定ベルト差込棒（４イ〜４ロ）を配し、板の下面には洗浄台下部に取り付ける移動車輪（７イ〜７ノ）を取り付け、車輪の横に洗浄台側面誘導車輪（６イ〜６チ）を配し、洗浄台を移動車輪のレール兼はずれ防止カバー［図６］の中に滑り込ませ、入浴台椅子部分（８イ）入浴台背もたれ部分（８ロ）の上に取り付け、椅子部分に入浴台回転もち手（１６イ〜１６ニ）を配し、台の下部には補助板（３１イ〜３１カ）を取り付けたのが特徴の要介護者用スライド式入浴装置。
【請求項２】
入浴台背もたれ部分（８ロ）下部に、浴槽内台の上下動をスムーズにするローラースライド部分を設けたのを特徴とする、請求項１記載の要介護者用スライド式入浴装置。
【請求項３】
図６、移動車輪のレール兼はずれ防止カバーに、洗浄台を包み込むように両脇を立ち上げ、上部を折り曲げ洗浄台はずれ防止部分（１４イ〜１４ニ）を設けたのを、特徴とする請求項１記載の要介護者用スライド式入浴装置。
【請求項４】
移動車輪のレール兼外れ防止カバーの中に、洗浄台が滑り込んだ状態で椅子形式に角度をつける際、角度調節のため連結部分で入浴台椅子部分連結部４５度カット（３４）、背もたれ部分連結部３０度カット（３５）、を設けたのを特徴とする請求項１記載の要介護者用スライド式入浴装置。
【請求項５】
入浴台を浴槽の上に停止固定する際、背もたれ部分を支える、入浴台背もたれ部分補強（１１）を設けたのを特徴とする請求項１、４記載の要介護者用スライド式入浴装置。
【考案の詳細な説明】
【技術分野】
【０００１】本考案は入浴時に身体を持ち上げるなど要介護者に与える負担を軽減し、車輪付の台で移動しながら入浴、身体洗浄、洗髪ができる入浴装置。
【背景技術】
【０００２】従来は入浴時、要介護者を浴槽に吊り下げるか、介護者が抱きかかえて移動し、浴槽内に誘導するのが現状である。要介護者にとっては痛みを伴う苦痛があり、体力的にも大きな負担になっている。
【先行技術文献】
【０００３】実録３０２０４３８
【考案の概要】
【考案が解決しようとする課題】
【０００４】入浴時の要介護者、介護者両方の体力的負担を軽減し、更に浴槽内での要介護者の身体の浮き、滑り込み、回転するなど危険性を解決する。
【課題を解決するための手段】
【０００５】入浴台の上に、移動車輪のレール兼はずれ防止カバーを取り付け、カバーの中に洗浄台を滑り込ませた状態で、椅子形式に角度をつけたまま、浴槽内へ上下動させ入浴し、また浴槽上に台ごと持ち上げ後は平面になり、もち手を押すことで前後に移動する。
【考案の効果】
【０００６】高齢者や寝たきりになった要介護者にとって、身体を清潔に保ち、健康的にも精神的にも、極めて有意義な意味を持ち、短時間で入浴ができ満足感を与える。要介護者、介護者両方にとっても負担の少ない入浴方法。
【図面の簡単な説明】
【０００７】
【図１】洗浄台上面図・椅子部分、背もたれ部分。
【図２】洗浄台下面図・椅子部分、背もたれ部分。
【図３】洗浄台側面図・椅子部分、背もたれ部分。
【図４】洗浄台断面図。
【図５】入浴台側面図・椅子部分、背もたれ部分。
【図６】移動車輪のレール兼はずれ防止カバー断面図。
【図７】入浴台に取り付けられた移動車輪のレール兼はずれ防止カバー平面図。
【図８】入浴台、回転もち手部分平面図。
【図１０】入浴台、回転もち手部分側面図。
【図１０】浴槽上で停止、固定する入浴台椅子部分断面図。
【図１１】入浴台の下部、補強横板に取り付けられる補助板側面図。
【図１２】補助板と蝶つがいの断面図。
【図１３】浴槽上で停止、固定する入浴台背もたれ部分断面図。
【図１４】浴槽上に入浴台を持ち上げた状態の側面図。
【図１５】浴槽内の入浴台側面図。
【図１６】浴槽上で停止固定する入浴台側面図。
【考案を実施するための形態】
【０００８】図１は、主体となる２枚の板、椅子部分（１イ）背もたれ部分（１ロ）を洗浄台連結部分（２）で連結させ１枚の板とし洗浄台とする。洗浄台椅子部分で連結部一部分カット（（３２イ〜３２ろ）する。
【０００９】椅子部分には洗浄台を押したり引いたりする目的で、もち手（３イ〜３ロ）を取り付け介護者が移動時に使用する。
【００１０】背もたれ部分には、上体固定ベルト（２９）を差し込む差込棒（４イ〜４ロ）を取り付け、入浴時には上体固定ベルトを差し込み棒に差込、ベルトを胸の位置で合わせる。
上体固定ベルトは、上体脇下胸の位置で合わせることで、要介護者の浴槽内での身体の浮き、滑り込み回転するなどの危険性を防止する。
【００１１】また浴槽上に戻った際、固定ベルトを身体洗浄のため外すが、濡れたまま再度利用する為、浴槽の中にピンチで留めて下げておき、湯の温度で暖かい固定ベルトを差し込み繰り返し利用する。
【００１２】図２は洗浄台下面図だが、上面に乗る要介護者の体重を支える、と同時に移動を目的とした、洗浄台下部に取り付ける移動車輪（７イ〜７ノ）を洗浄台両側に取り付ける。
【００１３】車輪は椅子部分の片側に６個ずつ両側で１２個、背もたれ部分には片側に７個ずつ両側で１４個取り付け重みを受け止める。
【００１４】また移動車輪（７イ〜７ノ）の横に、側面誘導車輪取り付け部分（５イ〜５ニ）を設け、洗浄台側面誘導車輪（６イ〜６チ）を横向きに取り付け、洗浄台の動きをスムーズにする。
【００１５】図４は洗浄台断面図であるが、洗浄台側面誘導車輪（６イ〜６チ）が、洗浄台より巾の出ている部分で、移動車輪のレール兼はずれ防止カバーの立ち上がり部分に触れ、動きをスムーズにする。
【００１６】図６は移動車輪のレール兼はずれ防止カバー断面図であるが、底面に洗浄台下部に取り付ける移動車輪（７イ〜７ノ）のレール部分（１５イ〜１５ニ）を配置し、中に滑り込む洗浄台を包み込むように両脇を立ち上げ、上部を折り曲げ、洗浄台はずれ防止部分（１４イ〜１４ニ）とする。
【００１７】移動車輪のレール兼はずれ防止カバーの中に、洗浄台を滑り込ませた状態、図１４で、浴槽内に図１５、椅子形式に角度をつけた状態。
【００１８】図５は入浴台側面図であるが椅子部分（８イ）背もたれ部分（８ロ）の上に移動車輪のレール兼はずれ防止カバーを取り付ける。図７は入浴台に移動車輪のレール兼はずれ防止カバーを取り付け後の平面図である。
【００１９】図８は入浴台椅子部分に入浴台回転もち手（１６イ〜１６ニ）を入浴台補強横板（９イ〜９ロ）の先端、回転もち手取り付け部分（２０イ〜２０ニ）に取り付け、入浴台と平行に回転もち手を、もち手回転軸（１８イ〜１８ニ）で取り付けた平面図である。
【００２０】図１０は浴槽上で停止、固定する入浴台椅子部分断面図であるが、浴槽（２５）の縁の上に回転もち手（１６イ〜１６ロ）の下部である（１９イ〜１９ニ）が乗りもち手の（１７イ〜１７ニ）部分は入浴台下部に取り付けられた補強横板（９イ〜９ロ）の間に入り台を固定安定させる。
【００２１】図１１は入浴台椅子部分（８イ）下部に取り付けられた補強横板（９イ〜９ロ）の下に取り付ける補助板側面図である。この補助板（３１い〜３１か）は補助板連結蝶つがい（２１イ〜２１ヘ）で折りたたむ。
また入浴台を浴槽上に持ち上げた際、補助板の伸びきりを防ぐ目的で金鎖（２４イ〜２４ニ）で調節する。
【００２２】図１３は浴槽上で停止固定する、入浴台背もたれ部分断面図であるが、浴槽（２５）の縁の上にローラー棒を通す、ローラー固定部分（２６イ）からローラー棒（１３）を浴槽上向こう側の縁、ローラー棒固定部分（２６ロ）で止める。またローラー棒の抜け落ちるのを防ぐ目的で、ローラー固定部分（２６イ）と入浴台の間にローラー棒抜け落ち防止ピン（３０）を差し込む。
【００２３】図５の入浴台側面図、背もたれローラースライド部分（１２）は、ローラー棒をスライド部分に通すことで入浴台をスムーズに浴槽内に上下動することができる。
スライド部分（１２）の空間、遊びの部分があるため、浴槽の両側に付く介護人が同時に回転もち手を外し、入浴台を上下動させる際ギクシャク感、引っ掛かりが皆無である。
【００２４】図１４は浴槽上に入浴台を持ち上げた状態の側面図であるが、入浴台に取り付けた回転もち手（１６イ〜１６ニ）は入浴台と平行になっている。
【００２５】浴槽内に上下動する際、入浴台の下部に取り付けられた補助板（３１イ〜３１カ）が入浴台と同じ巾であるため台のねじれ、回転を防止できる。また補助板の隙間から上下動時の湯の抵抗も緩和できる。
【００２６】図１５は入浴台の上に移動車輪のレール兼はずれ防止カバーを取り付け、防止カバーの中に洗浄台を滑り込ませて椅子形式に角度をつける際、入浴台椅子部分連結部（３４）で４５度カット。背もたれ部分連結部（３５）で３０度カットする。また中に滑り込んだ洗浄台連結部分一部カット（３２イ〜３２ロ）することで洗浄台はずれ防止部分（１４イ〜１４ニ）に当たることなく角度を付ける。
【００２７】入浴台背もたれ部分補強（１１）は浴槽の上に停止固定した際、背もたれ部分の重さを支える部分として、入浴台椅子部分の下部を延長する。またシャンプー枕は肩に近く置くことで洗髪に使用する。更に上体固定ベルトは入浴時に使用することで浴槽内での安全を図る。
【００２８】図１６は、浴槽上で停止固定する入浴台側面図、入浴台の回転もち手は９０度回転し浴槽の縁の上にもち手（１９イー１９ニ）が乗り停止している。この入浴台は洗浄台兼移動用ストレッチャーと一対として使用する時、洗浄台のもち手（３イ〜３ロ）を押すことで洗浄台兼ストレッチャーに移動し身体洗浄、洗髪など台に乗ったままで入浴が全て可能になる。
【符号の説明】
【００２９】１イ、洗浄台椅子部分
１ロ、洗浄台背もたれ部分
２、  洗浄台連結部分
３イ、３ロ、洗浄台もち手
４イ、４ロ、洗浄台上体固定ベルト差込棒
５イ〜５ニ、洗浄台側面誘導車輪取り付け部分
６イ〜６チ、洗浄台側面誘導車輪
７イ〜７ノ、洗浄台下部に取り付ける移動車輪
８イ、入浴台椅子部分
８ロ、入浴台背もたれ部分
９イ、９ロ、入浴台補強横板
１０、入浴台連結部分
１１、背もたれ部分補強
１２、ローラー棒スライド部分
１３、ローラー棒
１４イ〜１４ニ  洗浄台はずれ防止部分
１５イ〜１５ニ  洗浄台下部に取り付ける移動車輪のレール部分
１６イ〜１６ニ  入浴台回転もち手
１７イ〜１７ニ  入浴台回転もち手
１８イ〜１８ニ  もち手回転軸
１９イ〜１９ニ  浴槽上９０度回転し入浴台を縁に乗せ停止する部分
２０イ〜２０ニ  回転もち手取り付け部分、
２１イ〜２１ヘ、補助板連結、蝶つがい
２２イ〜２２ニ、補助板と浴槽を連結
２３イ〜２３ロ  補助板の伸びきりを防止する金輪
２４イ〜２４ニ、金の鎖ヒモ
２５、浴槽
２６イ、ローラー棒を２６ロに向けて通す固定部分
２６ロ、浴槽上のローラー固定部分
２７イ〜２７ロ、ローラー固定部分固定釘
２８、シャンプー枕
２９、上体固定ベルト
３０、ローラー棒抜け落ち防止ピン
３１イ〜３１カ、補助板、
３２イ〜３２ロ、洗浄台椅子部分連結部一部分カット
３３、入浴台、洗浄台兼移動用ストレッチャー連結台
３４、入浴台椅子部分連結部４５度カット
３５、入浴台背もたれ部分連結部３０度カット
【実施例】
【００３０】本考案は浴槽の両側に介護者が一人づつ着き、入浴台を浴槽内に上下動させるため材質を吟味し、アルミニュウム、プラスチック、木製、チタンなど軽く、丈夫、見た目に清潔感のある素材を使用する。
人の手で湯の中で動かす台であるため、台の隙間から湯が抜ける、落ちるように隙間を多く取ることが大切である。
台を椅子形式に角度をつけるには連結部を蝶つがい、リング状のもの、全体を一つの蝶つがいにするなど、安全な連結部にする。
【図１】
0003175772.tif 000003
【図２】
0003175772.tif 000004
【図３】
0003175772.tif 000005
【図４】
0003175772.tif 000006
【図５】
0003175772.tif 000007
【図６】
0003175772.tif 000008
【図７】
0003175772.tif 000009
【図８】
0003175772.tif 000010
【図９】
0003175772.tif 000011
【図１０】
0003175772.tif 000012
【図１１】
0003175772.tif 000013
【図１２】
0003175772.tif 000014
【図１３】
0003175772.tif 000015
【図１４】
0003175772.tif 000016
【図１５】
0003175772.tif 000017
【図１６】
0003175772.tif 000018
【手続補正書】
【提出日】平成24年3月8日(2012.3.8)
【手続補正１】
【補正対象書類名】実用新案登録請求の範囲
【補正対象項目名】全文
【補正方法】変更
【補正の内容】
【実用新案登録請求の範囲】
【請求項１】
主体と成る板  洗浄台椅子部分（１イ）と洗浄台背もたれ部分（１ロ）を洗浄台連結部分（２）で連結、洗浄台とし椅子部分に台を押す目的の、洗浄台もち手（３イ〜３ロ）を取り付け、背もたれ部分には、洗浄台上体固定ベルト差込棒（４イ〜４ロ）を配し、板の下面には洗浄台下部に取り付ける移動車輪（７イ〜７ノ）設け、車輪の横に洗浄台側面誘導車輪（６イ〜６チ）を配し、洗浄台を移動車輪のレール兼はずれ防止カバーの中に滑り込ませ、入浴台椅子部分（８イ）と入浴台背もたれ部分（８ロ）の上に重ね、入浴台椅子部分の両横に入浴台回転もち手（１６イ〜１６ニ）を設け、台の下部には補助板（３１イ〜３１カ）を取り付けたのが特徴の要介護者用スライド式入浴装置。
【請求項２】
入浴台背もたれ部分（８ロ）下部に、浴槽内で台の上下動をスムーズにするローラ棒スライド部分（１２）を設けたのを特徴とする請求項１記載の要介護者用スライド式入浴装置。
【請求項３】
移動車輪のレール兼はずれ防止カバーを、洗浄台を包み込むように両脇を立ち上げ、上部を折り曲げ洗浄台はずれ防止部分（１４イ〜１４ニ）を設けたのを特徴とする請求項１記載の要介護者用スライド式入浴装置。
【請求項４】
移動車輪のレール兼はずれ防止カバーの中に、洗浄台が滑り込んだ状態で椅子形式に角度をつける際、角度調節のため連結部分で入浴台椅子部分連結部４５度カット（３４）入浴台背もたれ部分連結部３０度カット（３５）を設けたのを特徴とする請求項１記載の要介護者用スライド式入浴装置。
【請求項５】
入浴台を浴槽の上に停止固定する際、背もたれ部分を支える、入浴台背もたれ部分補強（１１）を設けたのを特徴とする請求項１、記載の要介護者用スライド式入浴装置。
【手続補正２】
【補正対象書類名】明細書
【補正対象項目名】０００７
【補正方法】変更
【補正の内容】
【０００７】
【図１】洗浄台上面図、椅子部分、背もたれ部分。
【図２】洗浄台下面図、椅子部分、背もたれ部分。
【図３】洗浄台側面図、椅子部分、背もたれ部分。
【図４】洗浄台断面図。
【図５】入浴台側面図、椅子部分、背もたれ部分。
【図６】移動車輪のレール兼はずれ防止カバー断面図。
【図７】入浴台に取り付けられた移動車輪のレール兼はずれ防止カバー平面図。
【図８】入浴台、回転もち手部分平面図。
【図９】入浴台、回転もち手部分側面図。
【図１０】浴槽上で停止、固定する入浴台椅子部分断面図。
【図１１】入浴台の下部、補強横板に取り付けられる補助板側面図。
【図１２】補助板と蝶つがいの断面図。
【図１３】浴槽上で停止、固定する入浴台背もたれ部分断面図。
【図１４】浴槽上に入浴台を持ち上げた状態の側面図。
【図１５】浴槽内の入浴台側面図。
【図１６】浴槽上で停止固定する入浴台側面図。